(57)【要約】【課題】緊急事態監視情報の有無を確認するために緊急事態監視システムの設置場所まで出向く不便さを解消することができる電話装置を提供することを目的とする。【解決手段】親機１０１は、緊急事態監視情報受信部１１３と、その出力を制御する緊急事態監視情報記録制御部１１４と、外線メッセージを録音する留守録部１１７と、緊急事態監視情報の有無を点滅により表示する留守録部作動ＬＥＤ１０７と、緊急事態監視システム起動解除部１０５と、制御部の出力を子機１０２へ転送する親機・子機間送受信部１１５とを有し、子機は、緊急事態監視情報の有無を点滅により表示する留守録部作動ＬＥＤ１０８と、緊急事態監視システム起動解除部１０６とを有する。【選択図】図１
2005142708.tif 000002
【特許請求の範囲】
【請求項１】
ホームセキュリティシステム等の緊急事態監視システムと接続された親機と、無線通信により前記親機と送受信可能な子機とから成る電話装置であって、
前記親機は、前記緊急事態監視システム内部に保持されている緊急事態監視情報を受信する緊急事態監視情報受信部と、前記緊急事態監視情報受信部の出力を制御する緊急事態監視情報記録制御部と、留守中等に外線からのメッセージを録音する留守録部と、前記留守録部が作動しているか否かを表示するとともに前記緊急事態監視情報の有無を点滅することで表示する留守録部作動ＬＥＤと、前記緊急事態監視情報記録制御部の出力を受けて前記留守録部作動ＬＥＤを制御するＬＥＤ制御部と、前記緊急事態監視システムを起動・解除する緊急事態監視システム起動解除部と、前記緊急事態監視情報記録制御部の出力を前記子機へ転送する親機・子機間送受信部とを有し、
前記子機は、前記親機と送受信を行う親機・子機間送受信部と、前記親機の留守録部が作動しているか否かを表示するとともに前記緊急事態監視情報の有無を点滅することで表示する留守録部作動ＬＥＤと、前記緊急事態監視情報記録制御部の出力を受けて前記留守録部作動ＬＥＤを制御するＬＥＤ制御部と、前記緊急事態監視システムを起動・解除する緊急事態監視システム起動解除部とを有することを特徴とする電話装置。
【請求項２】
前記親機と前記子機とはそれぞれ、前記留守録部作動ＬＥＤに代えてＬＣＤバックライトを有し、前記ＬＥＤ制御部に代えてＬＣＤバックライト制御部を有し、前記ＬＣＤバックライト制御部は前記緊急事態監視情報記録制御部の出力を受けて前記ＬＣＤバックライトを制御することを特徴とする請求項１に記載の電話装置。
【請求項３】
前記留守録部は前記緊急事態監視情報を音声データとして録音することを特徴とする請求項１に記載の電話装置。
【請求項４】
前記留守録部中に録音された前記緊急事態監視情報を前記留守録部起動解除部の解除によって音声で再生する音声再生部を備えたことを特徴とする請求項３に記載の電話装置。
【請求項５】
前記親機と前記子機はそれぞれ、医療、防犯、防災等の特定機関への専用通報部を備え、前記専用通報部は、緊急事態発生の通報が解除されるまで、点灯または点滅し続けることを特徴とする請求項１に記載の電話装置。
【発明の詳細な説明】
【技術分野】
【０００１】
本発明は、ホームセキュリティシステム等の緊急事態監視システムに接続された電話装置に関するものである。
【背景技術】
【０００２】
近年、家庭内に配置された複数のセンサーを一括して管理するボックス型の緊急事態監視システムが社会環境の変化に伴って普及し始めている。さらに、この緊急事態監視システムに一般に広く普及している無線電話装置を組み合わせることで、複数の子機へ緊急事態監視システムからの情報を表示したり、あるいは子機に緊急通報機能をもたせたりすることによって、緊急事態監視システムの利便性が向上してきた。以下、図面を参照しながら従来の無線電話装置を用いた緊急事態監視システムについて説明を行う。
【０００３】
図７は、緊急事態監視システムに接続された従来の電話装置を示す構成図である。
【０００４】
図７において、６０１は無線通信により相互に通信の出来る親機６０２と子機６０３とからなる電話装置、６１２は緊急事態監視システムである。緊急事態監視システム６１２は、煙センサーや赤外線センサー等の各種センサー６１４と、これらセンサー６１４を制御する緊急事態監視システム制御装置６１３とからなる。さらに、緊急事態監視システム制御装置６１３は公衆回線６１５及び親機６０２と有線接続されている。親機６０２において、６０４は外出時等に外線からのメッセージを録音する留守録部の起動、解除を行う留守録部起動解除部、６０６は緊急事態監視システム６１２の起動・解除を親機６０２から行う緊急事態監視システム起動解除部、６０８は留守録部の作動・非作動状態を表示する留守録部作動ＬＥＤである。子機６０３において、６０５は留守録部起動解除部６０４と同様の留守録部起動解除部、６０７は緊急事態監視システム起動解除部６０６と同様の緊急事態監視システム起動解除部、６０９は留守録部作動ＬＥＤ６０８と同様の留守録部作動ＬＥＤである。
【０００５】
このように構成された無線電話装置について、その動作を説明する。
【０００６】
センサー６１４で発生した緊急事態は親機６０２や子機６０３へ通報され、親機６０２や子機６０３はユーザーに対して警報を発する。一方で緊急事態監視システム制御装置６１３は、公衆回線６１５を経由して、ユーザーが契約している医療・防犯関連の特定機関としてのコールセンターへ緊急事態を通報する。緊急事態監視システム制御装置６１３は、上記の様な緊急事態の通報記録や、どのセンサーがいつどこで異常を検知したかなどの緊急事態監視情報を内部の記憶装置に保持している。緊急事態監視情報を参照する場合には、緊急事態監視システム制御装置６１３上の操作部（図示せず）を操作する。
【０００７】
なお、（特許文献１）には、外出時等にテレビ電話を留守番連続送信モードにセットすることにより、遠い場所からでも部屋の様子、監視したいものを映し出せるようにするものが開示されている。
【特許文献１】特開平３−２６１４２号公報
【発明の開示】
【発明が解決しようとする課題】
【０００８】
緊急事態監視システム制御装置６１３は通常、地下室などの通常は人が近付かず来客の目につかないところへ設置される為、緊急事態監視情報の有無を確認する場合や参照をする場合は設置場所まで行かなければならないという不便さがあった。
【０００９】
この電話装置では、緊急事態監視情報の有無を確認するために緊急事態監視システムの設置場所まで出向くという不便さを解消することが要求されている。
【００１０】
本発明は、この要求を満たすため、緊急事態監視情報の有無を確認するために緊急事態監視システムの設置場所まで出向くという不便さを解消することができる電話装置を提供することを目的とする。
【課題を解決するための手段】
【００１１】
上記課題を解決するために本発明の電話装置は、ホームセキュリティシステム等の緊急事態監視システムと接続された親機と、無線通信により親機と送受信可能な子機とから成る電話装置であって、親機は、緊急事態監視システム内部に保持されている緊急事態監視情報を受信する緊急事態監視情報受信部と、緊急事態監視情報受信部の出力を制御する緊急事態監視情報記録制御部と、留守中等に外線からのメッセージを録音する留守録部と、留守録部が作動しているか否かを表示するとともに緊急事態監視情報の有無を点滅することで表示する留守録部作動ＬＥＤと、緊急事態監視情報記録制御部の出力を受けて留守録部作動ＬＥＤを制御するＬＥＤ制御部と、緊急事態監視システムを起動・解除する緊急事態監視システム起動解除部と、緊急事態監視情報記録制御部の出力を子機へ転送する親機・子機間送受信部とを有し、子機は、親機と送受信を行う親機・子機間送受信部と、親機の留守録部が作動しているか否かを表示するとともに緊急事態監視情報の有無を点滅することで表示する留守録部作動ＬＥＤと、緊急事態監視情報記録制御部の出力を受けて留守録部作動ＬＥＤを制御するＬＥＤ制御部と、緊急事態監視システムを起動・解除する緊急事態監視システム起動解除部とを有する構成を備えている。
【００１２】
これにより、緊急事態監視情報の有無を確認するために緊急事態監視システムの設置場所まで出向くという不便さを解消することができる電話装置が得られる。
【発明の効果】
【００１３】
本発明の電話装置は、ホームセキュリティシステム等の緊急事態監視システムと接続された親機と、無線通信により親機と送受信可能な子機とから成る電話装置であって、親機は、緊急事態監視システム内部に保持されている緊急事態監視情報を受信する緊急事態監視情報受信部と、緊急事態監視情報受信部の出力を制御する緊急事態監視情報記録制御部と、留守中等に外線からのメッセージを録音する留守録部と、留守録部が作動しているか否かを表示するとともに緊急事態監視情報の有無を点滅することで表示する留守録部作動ＬＥＤと、緊急事態監視情報記録制御部の出力を受けて留守録部作動ＬＥＤを制御するＬＥＤ制御部と、緊急事態監視システムを起動・解除する緊急事態監視システム起動解除部と、緊急事態監視情報記録制御部の出力を子機へ転送する親機・子機間送受信部とを有し、子機は、親機と送受信を行う親機・子機間送受信部と、親機の留守録部が作動しているか否かを表示するとともに緊急事態監視情報の有無を点滅することで表示する留守録部作動ＬＥＤと、緊急事態監視情報記録制御部の出力を受けて留守録部作動ＬＥＤを制御するＬＥＤ制御部と、緊急事態監視システムを起動・解除する緊急事態監視システム起動解除部とを有することにより、緊急事態監視情報を入力した緊急事態監視情報記録制御部の出力に基づいて親機や子機の留守録部作動ＬＥＤを制御することができ、緊急事態監視システムにおける緊急事態監視情報の有無を留守録部作動ＬＥＤの点滅により通知することができるので、ユーザーは帰宅時における留守録メッセージの確認と同じ方法で緊急事態情報の有無を確認することができ、緊急事態監視情報の有無を確認するためにユーザーが緊急事態監視システムの設置場所まで出向くという不便さを解消することができるという有利な効果が得られる。
【００１４】
さらに、親機と子機とはそれぞれ、留守録部作動ＬＥＤに代えてＬＣＤバックライトを
有し、ＬＥＤ制御部に代えてＬＣＤバックライト制御部を有し、ＬＣＤバックライト制御部は緊急事態監視情報記録制御部の出力を受けてＬＣＤバックライトを制御することにより、緊急事態監視システムにおける緊急事態監視情報の有無をＬＣＤバックライトの点滅により通知することができるので、ユーザーは帰宅時における留守録メッセージの確認と同じ方法で緊急事態情報の有無を確認することができ、緊急事態監視情報の有無を確認するためにユーザーが緊急事態監視システムの設置場所まで出向くという不便さを解消することができるという有利な効果が得られる。
【００１５】
さらに、留守録部は緊急事態監視情報を音声データとして録音することにより、留守録部作動ＬＥＤの点滅による緊急事態監視情報の有無の確認だけでなく、緊急事態監視情報の内容を音声で確認することもできるという有利な効果が得られる。
【００１６】
さらに、留守録部中に録音された緊急事態監視情報を留守録部起動解除部の解除によって音声で再生する音声再生部を備えたことにより、緊急事態監視情報記録の有無の確認だけでなく、留守録メッセージと共に緊急事態監視情報の参照が可能となるという有利な効果が得られる。
【００１７】
さらに、親機と子機はそれぞれ、医療、防犯、防災等の特定機関への専用通報部を備え、専用通報部は、緊急事態発生の通報が解除されるまで、点灯または点滅し続けることにより、緊急事態監視情報の有無を確認するまでもなく、緊急事態が発生したことをユーザーが特定機関へ通知することができるという有利な効果が得られる。
【発明を実施するための最良の形態】
【００１８】
本発明は、緊急事態監視情報の有無を確認するために緊急事態監視システムの設置場所まで出向くという不便さを解消するという目的を、電話装置の留守録部作動ＬＥＤを点滅させて緊急事態監視情報の有無を通知することで実現した。
【００１９】
上記課題を解決するためになされた第１の発明は、ホームセキュリティシステム等の緊急事態監視システムと接続された親機と、無線通信により親機と送受信可能な子機とから成る電話装置であって、親機は、緊急事態監視システム内部に保持されている緊急事態監視情報を受信する緊急事態監視情報受信部と、緊急事態監視情報受信部の出力を制御する緊急事態監視情報記録制御部と、留守中等に外線からのメッセージを録音する留守録部と、留守録部が作動しているか否かを表示するとともに緊急事態監視情報の有無を点滅することで表示する留守録部作動ＬＥＤと、緊急事態監視情報記録制御部の出力を受けて留守録部作動ＬＥＤを制御するＬＥＤ制御部と、緊急事態監視システムを起動・解除する緊急事態監視システム起動解除部と、緊急事態監視情報記録制御部の出力を子機へ転送する親機・子機間送受信部とを有し、子機は、親機と送受信を行う親機・子機間送受信部と、親機の留守録部が作動しているか否かを表示するとともに緊急事態監視情報の有無を点滅することで表示する留守録部作動ＬＥＤと、緊急事態監視情報記録制御部の出力を受けて留守録部作動ＬＥＤを制御するＬＥＤ制御部と、緊急事態監視システムを起動・解除する緊急事態監視システム起動解除部とを有することとしたものであり、緊急事態監視情報を入力した緊急事態監視情報記録制御部の出力に基づいて親機や子機の留守録部作動ＬＥＤを制御することができ、緊急事態監視システムにおける緊急事態監視情報の有無を留守録部作動ＬＥＤの点滅により通知することができるので、ユーザーは帰宅時における留守録メッセージの確認と同じ方法で緊急事態情報の有無を確認することができ、緊急事態監視情報の有無を確認するためにユーザーが緊急事態監視システムの設置場所まで出向くという不便さを解消することができるという作用・効果を有する。
【００２０】
上記課題を解決するためになされた第２の発明は、親機と子機とはそれぞれ、留守録部作動ＬＥＤに代えてＬＣＤバックライトを有し、ＬＥＤ制御部に代えてＬＣＤバックライ
ト制御部を有し、ＬＣＤバックライト制御部は緊急事態監視情報記録制御部の出力を受けてＬＣＤバックライトを制御することとしたものであり、緊急事態監視システムにおける緊急事態監視情報の有無をＬＣＤバックライトの点滅により通知することができるので、ユーザーは帰宅時における留守録メッセージの確認と同じ方法で緊急事態情報の有無を確認することができ、緊急事態監視情報の有無を確認するためにユーザーが緊急事態監視システムの設置場所まで出向くという不便さを解消することができるという作用・効果を有する。
【００２１】
上記課題を解決するためになされた第３の発明は、留守録部は緊急事態監視情報を音声データとして録音することとしたものであり、留守録部作動ＬＥＤの点滅による緊急事態監視情報の有無の確認だけでなく、緊急事態監視情報の内容を音声で確認することもできるという作用・効果を有する。
【００２２】
上記課題を解決するためになされた第４の発明は、留守録部中に録音された緊急事態監視情報を留守録部起動解除部の解除によって音声で再生する音声再生部を備えることとしたものであり、緊急事態監視情報記録の有無の確認だけでなく、留守録メッセージと共に緊急事態監視情報の参照が可能となるという作用・効果を有する。
【００２３】
上記課題を解決するためになされた第５の発明は、親機と子機はそれぞれ、医療、防犯、防災等の特定機関への専用通報部を備え、専用通報部は、緊急事態発生の通報が解除されるまで、点灯または点滅し続けることとしたものであり、緊急事態監視情報の有無を確認するまでもなく、緊急事態が発生したことをユーザーが特定機関へ通知することができるという作用・効果を有する。
【００２４】
（実施の形態１）
図１（ａ）は本発明の実施の形態１による電話装置を示す構成図であり、図１（ｂ）は本発明の実施の形態１による電話装置を示すブロック図である。
【００２５】
図１において、１０１は本電話装置を構成する親機、１０２は親機１０１と共に本電話装置を構成すると共に親機１０１との間に無線通信で送受信可能な子機、１０３は後述の留守録部１１７を起動・解除する親機１０１の留守録部起動解除部、１０４は留守録部１１７を起動・解除する子機１０２の留守録部起動解除部、１０５は後述の緊急事態監視システム１０９を起動・解除する親機１０１の緊急事態監視システム起動解除部、１０６は緊急事態監視システム１０９を起動・解除する子機１０２の緊急事態監視システム起動解除部、１０７は留守録部１１７の作動状態を表示する親機１０１の留守録部作動ＬＥＤ、１０８は留守録部１１７の作動状態を表示する子機１０２の留守録部作動ＬＥＤ、１０９は緊急事態の監視を行う緊急事態監視システム、１１０は後述のセンサー群１１１と接続された緊急事態監視システム制御装置、１１１は緊急事態監視システム制御装置１１０と有線または無線接続されている赤外線センサーや煙センサー等の緊急事態監視の為のセンサー群、１１２は公衆回線網、１１３は緊急事態監視システム１０９からの緊急事態監視情報を受信する緊急事態監視情報受信部、１１４は緊急事態監視情報受信部１１３の出力を制御する緊急事態監視情報記録制御部、１１５は子機１０２との送受信を行う親機１０１の親機・子機間送受信部、１１６は留守録部作動ＬＥＤ１０７を制御するＬＥＤ制御部、１１７は外線からのメッセージを録音または再生する留守録部、１１８は親機１０１との送受信を行う子機１０２の親機・子機間送受信部、１１９は留守録部作動ＬＥＤ１０８を制御する子機１０２のＬＥＤ制御部である。なお、本実施の形態による電話装置においては子機１０２はゼロの（存在しない）場合もあり、複数存在する場合もある。
【００２６】
このように構成された電話装置について、その動作を説明する。
【００２７】
図１（ｂ）において、センサー群１１１の少なくとも一つ以上が異常を検知した場合、緊急事態監視システム１０９は、親機１０１と親機１０１を経由した子機１０２とに警報を発すると共に、ユーザーが契約しているコールセンターへ公衆回線網１１２を経由して通報する。一方、緊急事態監視システム１０９は、どの場所に設置されたセンサーがいつ検知し、どのコールセンターへ通報したかなどの緊急事態監視情報を内部に保存する。緊急事態監視情報受信部１１３は当該緊急事態監視情報を親機１０１内部に取り込む。緊急事態監視情報記録制御部１１４は、緊急事態監視情報受信部１１３が取り込んだデータから留守録部作動ＬＥＤ１０７を駆動する制御信号を生成する。ＬＥＤ制御部１１６は、当該制御信号を受けて留守録部作動ＬＥＤ１０７を駆動する。ユーザーが緊急事態監視情報の存在することを確認した後は、緊急事態監視システム起動解除部１０５の押し釦（図示せず）を押下することで緊急事態監視情報が存在することを告知する為の留守録部作動ＬＥＤ１０７の点滅を停止することができる。一方、子機１０２に対しては、当該制御信号を親機・子機間送受信部１１５、１１８を経由して送信し、子機１０２では親機１０１と同様に留守録部作動ＬＥＤ１０８を駆動する。
【００２８】
次に，ＬＥＤ１０７、１０８の点灯パターンについて、図２を用いて説明する。図２（ａ）、（ｂ）、（ｃ）、（ｄ）はＬＥＤ１０７、１０８の点灯パターンを示すタイミング図である。留守録部作動ＬＥＤ１０７および１０８は、緊急事態監視情報の存在を告知する他に、留守録部１１７が作動中であることや留守録メッセージが存在することも表示しなければならない。図２において、留守録部１１７が非作動で警報も未発生の場合は（ａ）の例のように点灯しない。留守録部１１７は作動中ではあるがメッセージなし、警報なしの場合は（ｂ）の例のように連続点灯する。留守録メッセージがあり、警報未発生の場合は（ｃ）の例のように点滅を繰り返す。警報が発生している場合は（ｄ）の例のように（ｃ）とは異なるパターンで点滅を繰り返す。親機１０１のＬＥＤ１０７と子機１０２のＬＥＤ１０８の点灯パターンは同じであることが望ましい。
【００２９】
以上のように本実施の形態によれば、親機１０１は、緊急事態監視システム１０９内部に保持されている緊急事態監視情報を受信する緊急事態監視情報受信部１１３と、緊急事態監視情報受信部１１３の出力を制御する緊急事態監視情報記録制御部１１４と、留守中等に外線からのメッセージを録音する留守録部１１７と、留守録部１１７が作動しているか否かを表示するとともに緊急事態監視情報の有無を点滅することで表示する留守録部作動ＬＥＤ１０７と、緊急事態監視情報記録制御部１１４の出力を受けて留守録部作動ＬＥＤ１０７を制御するＬＥＤ制御部１１６と、緊急事態監視システム１０９を起動・解除する緊急事態監視システム起動解除部１０５と、緊急事態監視情報記録制御部１１４の出力を子機１０２へ転送する親機・子機間送受信部１１５とを有し、子機１０２は、親機１０１と送受信を行う親機・子機間送受信部１１８と、親機１０１の留守録部１１７が作動しているか否かを表示するとともに緊急事態監視情報の有無を点滅することで表示する留守録部作動ＬＥＤ１０８と、緊急事態監視情報記録制御部１１４の出力を受けて留守録部作動ＬＥＤ１０８を制御するＬＥＤ制御部１１９と、緊急事態監視システム１０９を起動・解除する緊急事態監視システム起動解除部１０６とを有することにより、緊急事態監視情報を入力した緊急事態監視情報記録制御部１１４の出力に基づいて親機１０１や子機１０２の留守録部作動ＬＥＤ１０７、１０８を制御することができ、緊急事態監視システム１０９における緊急事態監視情報の有無を留守録部作動ＬＥＤ１０７、１０８の点滅により通知することができるので、ユーザーは帰宅時における留守録メッセージの確認と同じ方法で緊急事態情報の有無を確認することができ、緊急事態監視情報の有無を確認するためにユーザーが緊急事態監視システムの設置場所まで出向くという不便さを解消することができる。
【００３０】
（実施の形態２）
図３は、本発明の実施の形態２による電話装置を示すブロック図である。
【００３１】
図３において、親機１０１、子機１０２、留守録部起動解除部１０３、１０４、緊急事態監視システム起動解除部１０５、１０６、留守録部作動ＬＥＤ１０７、緊急事態監視システム１０９、緊急事態監視情報受信部１１３、緊急事態監視情報記録制御部１１４、親機・子機間送受信部１１５、１１８、ＬＥＤ制御部１１６、留守録部１１７は図１と同様のものなので、同一符号を付し、説明は省略する。２０１は親機１０１のＬＣＤ、２０２は子機１０２のＬＣＤ、２０５はＬＣＤ２０１のバックライトとなるＬＣＤバックライト、２０６はＬＣＤ２０２のバックライトとなるＬＣＤバックライト、２０３は緊急事態監視情報記録制御部１１４出力の制御信号を受けてＬＣＤバックライト２０５を駆動するＬＣＤバックライト制御部、２０４は子機１０２におけるＬＣＤバックライト制御部であり、無線通信により緊急事態監視情報記録制御部１１４出力の制御信号を受ける。図３と図１の比較から分かるように、図１における留守録部作動ＬＥＤ１０７、１０８の代わりに親機１０１のＬＣＤ２０１のバックライト２０５、子機１０２のＬＣＤ２０２のバックライト２０６を点滅させることとしたことで、緊急事態監視情報の存在を知ることが出来る。
【００３２】
以上のように本実施の形態によれば、親機１０１と子機１０２とはそれぞれ、留守録部作動ＬＥＤに代えてＬＣＤバックライト２０５、２０６を有し、ＬＥＤ制御部に代えてＬＣＤバックライト制御部２０３、２０４を有し、ＬＣＤバックライト制御部２０３、２０４は緊急事態監視情報記録制御部１１４の出力を受けてＬＣＤバックライト２０５、２０６を制御することにより、緊急事態監視システム１０９における緊急事態監視情報の有無をＬＣＤバックライト２０５、２０６の点滅により通知することができるので、ユーザーは帰宅時における留守録メッセージの確認と同じ方法で緊急事態情報の有無を確認することができ、緊急事態監視情報の有無を確認するためにユーザーが緊急事態監視システム１０９の設置場所まで出向くという不便さを解消することができる。
【００３３】
（実施の形態３）
図４は、本発明の実施の形態３による電話装置を示すブロック図である。
【００３４】
図４において、親機１０１、留守録部起動解除部１０３、緊急事態監視システム起動解除部１０５、留守録部作動ＬＥＤ１０７、緊急事態監視システム１０９、緊急事態監視情報受信部１１３、緊急事態監視情報記録制御部１１４、親機・子機間送受信部１１５、ＬＥＤ制御部１１６、留守録部１１７は図１と同様のものなので、同一符号を付し、説明は省略する。すなわち、図４の電話装置は、図１において子機１０２が存在しない場合を示す。
【００３５】
このように構成された電話装置について、その動作を説明する。
【００３６】
緊急事態監視情報記録制御部１１４は、留守録部作動ＬＥＤ１０７の制御信号を生成すると共に、緊急事態監視情報自身を音声データの形式で留守録部１１７中のメモリ（図示せず）に保存する。再生する場合には、緊急事態監視システム起動解除部１０５の押し釦を押下することで行う。（表１）に、緊急事態監視情報の保存形態例を示す。
【００３７】
【表１】
2005142708.tif 000003
【００３８】
（表１）に示すように、留守録部１１７中のメモリ内には、緊急事態発生の日時、検知したセンサー名、センサーの設置場所、発生したイベント、緊急通報先等がログ番号付きで保存される。例えばログ番号（Ｌｏｇ  Ｎｏ．）００１の場合は、緊急事態発生の日時（Ｄａｔｅ＆Ｔｉｍｅ）は２００３年８月２１日１５時３０分０秒で、センサーの設置場所（Ｌｏｃａｔｉｏｎ）はガレージ、検知したセンサー名（Ｓｅｎｓｏｒ）は赤外線、発生したイベント（Ｅｖｅｎｔ）は侵入者あり、緊急通報先（Ｅｍｅｒｇｅｎｃｙ  Ｃａｌｌ）は七曲署であることを示す。
【００３９】
以上のように本実施の形態によれば、留守録部１１７は緊急事態監視情報を音声データとして録音することにより、留守録部作動ＬＥＤ１０７の点滅による緊急事態監視情報の有無の確認だけでなく、緊急事態監視情報の内容を音声で確認することもできる。
【００４０】
（実施の形態４）
図５（ａ）は本発明の実施の形態４による電話装置を示す構成図、図５（ｂ）は本発明の実施の形態４による電話装置を示すブロック図である。
【００４１】
図５において、親機１０１、子機１０２、留守録部起動解除部１０３、１０４、緊急事態監視システム起動解除部１０５、１０６、留守録部作動ＬＥＤ１０７、緊急事態監視システム１０９、緊急事態監視システム制御装置１１０、センサー群１１１、公衆回線網１１２、緊急事態監視情報受信部１１３、緊急事態監視情報記録制御部１１４、親機・子機間送受信部１１５、１１８、ＬＥＤ制御部１１６、留守録部１１７、ＬＣＤバックライト制御部２０４、ＬＣＤバックライト２０６は図１、図３と同様のものなので、同一符号を付し、説明は省略する。４０１、４０２は音声を再生する音声再生部である。
【００４２】
このように構成された電話装置について、その動作を説明する。
【００４３】
ユーザーが親機１０１の留守録部起動解除部１０３の押し釦を押下すると留守録部１１７の内部に保存された緊急事態監視情報が音声で音声再生部４０１から出力される。もし留守録メッセージも存在する場合は続けて再生を行う。子機１０２で操作を行う場合は、子機１０２の留守録部起動解除部１０４の押し釦（図示せず）を押下すると、親機１０２の留守録部１１７に保存された緊急事態監視情報が親機・子機間送受信部１１５、１１８を経由して子機１０２へ送信され、子機１０２の音声再生部４０２から音声として再生される。留守録メッセージも同じルートで続けて再生される。
【００４４】
以上のように本実施の形態によれば、留守録部１０７中に録音された緊急事態監視情報を留守録部起動解除部１０３、１０４の解除によって音声で再生する音声再生部４０１、４０２を備えたことにより、緊急事態監視情報記録の有無の確認だけでなく、留守録メッセージと共に緊急事態監視情報の参照が可能となる。
【００４５】
（実施の形態５）
図６は、本発明の実施の形態５による電話装置を示す構成図である。
【００４６】
図６において、親機１０１、子機１０２、緊急事態監視システム起動解除部１０５、１０６、緊急事態監視システム１０９、緊急事態監視システム制御装置１１０、センサー群１１１、公衆回線網１１２は図１と同様のものなので、同一符号を付し、説明は省略する。５０１、５０２は医療・防犯・防災等の特定機関への専用通報部である。専用通報部５０１、５０２は、本来はセンサー群１１１による検知ではなく、ユーザー自身が緊急事態を発見した場合に、対応する特定機関へ通報する為のものである。専用通報部５０１、５０２の押し釦（図示せず）を押下するのみで、特定機関へ電話回線をつなぐことが出来る。緊急事態監視システム１０９が緊急事態を検知したときに、その検知内容に対応した専用通報部５０１、５０２の部分が点灯または点滅する。
【００４７】
以上のように本実施の形態によれば、親機１０１と子機１０２はそれぞれ、医療、防犯、防災等の特定機関への専用通報部５０１、５０２を備え、専用通報部５０１、５０２は、緊急事態発生の通報が解除されるまで、点灯または点滅し続けることにより、緊急事態監視情報の有無を確認するまでもなく、緊急事態が発生したことをユーザーが特定機関へ通知することができる。
【産業上の利用可能性】
【００４８】
本発明は、ホームセキュリティシステム等の緊急事態監視システムに接続された電話装置に関するものであり、留守録部作動ＬＥＤが緊急事態監視情報記録の有無を表示する機能を併せ持ち、ユーザーが帰宅時に留守録メッセージの確認と同じ方法で緊急事態監視情
報記録の有無を確認することができ、情報を確認するためにユーザーが緊急事態監視システムの設置場所まで出向くという不便さを解消することができる。
【図面の簡単な説明】
【００４９】
【図１】（ａ）本発明の実施の形態１による電話装置を示す構成図、（ｂ）本発明の実施の形態１による電話装置を示すブロック図
【図２】（ａ）ＬＥＤの点灯パターンを示すタイミング図、（ｂ）ＬＥＤの点灯パターンを示すタイミング図、（ｃ）ＬＥＤの点灯パターンを示すタイミング図、（ｄ）ＬＥＤの点灯パターンを示すタイミング図
【図３】（ａ）本発明の実施の形態２による電話装置を示す構成図、（ｂ）本発明の実施の形態２による電話装置を示すブロック図
【図４】本発明の実施の形態３による電話装置を示すブロック図
【図５】（ａ）本発明の実施の形態４による電話装置を示す構成図、（ｂ）本発明の実施の形態４による電話装置を示すブロック図
【図６】本発明の実施の形態５による電話装置を示す構成図
【図７】緊急事態監視システムに接続された従来の電話装置を示す構成図
【符号の説明】
【００５０】
１０１    親機
１０２    子機
１０３、１０４    留守録部起動解除部
１０５、１０６    緊急事態監視システム起動解除部
１０７、１０８    留守録部作動ＬＥＤ
１０９    緊急事態監視システム
１１０    緊急事態監視システム制御装置
１１１    センサー群
１１２    公衆回線網
１１３    緊急事態監視情報受信部
１１４    緊急事態監視情報記録制御部
１１５、１１８    親機・子機間送受信部
１１６、１１９    ＬＥＤ制御部
１１７    留守録部
２０３、２０４    ＬＣＤバックライト制御部
２０５、２０６    ＬＣＤバックライト
４０１、４０２    音声再生部
５０１、５０２    専用通報部
【図１】
2005142708.tif 000004
【図２】
2005142708.tif 000005
【図３】
2005142708.tif 000006
【図４】
2005142708.tif 000007
【図５】
2005142708.tif 000008
【図６】
2005142708.tif 000009
【図７】
2005142708.tif 000010